(57)【特許請求の範囲】
【請求項１】
伝送制御装置に、固有のアドレスが設定されスイッチの操作状態を監視する操作用端末器と、固有のアドレスが設定され負荷の動作を制御する制御用端末器とを伝送線を介して接続し、伝送制御装置からアドレスデータを含む伝送信号を上記伝送線に時分割多重で送出することによって各端末器を個別にアクセスし、伝送信号に同期して設定された信号返送期間に操作用端末器からの監視データを受信すると、監視データに基づいて制御データを作成し、監視データを発生した操作用端末器に対応する制御用端末器に制御データを上記伝送信号により伝送し、当該制御用端末器では受信した制御データにより負荷の動作を制御し、伝送制御装置は当該制御用端末器から負荷の動作状態を示す監視データを受信すると、監視データに基づいて制御データを作成し、対応する操作用端末器に伝送する遠隔制御システムであって、
上記制御用端末器は、被固定部から吊条を介して吊り下げられ被固定部に設けられた固定接点と接離自在に接触する可動接点を備え両接点を介して給電される照明負荷の動作を制御する照明用制御端末器と、吊条を巻き取り又は送り出すことにより照明負荷を上昇又は下降させる昇降機構部の動作を制御する昇降用制御端末器とを少なくとも含み、
上記操作用端末器は、上記照明負荷をオン／オフ操作するための照明操作スイッチの操作状態を監視する照明用操作端末器と、上記昇降機構部を昇降操作するための昇降操作スイッチの操作状態を監視する昇降用操作端末器とを少なくとも含み、
昇降用制御端末器による昇降機構部の制御動作のモードを、予め対応関係が設定された照明用制御端末器による照明負荷の制御状態を監視し、昇降機構部を昇降させる制御データを受信した際に消灯中であれば昇降機構部を昇降させ、点灯中は昇降機構部を昇降させない監視モード、又は、昇降機構部を昇降させる制御データを受信した際に、予め対応関係が設定された照明用制御端末器により照明負荷を消灯させる監視データを伝送制御装置に返送して照明負荷を消灯させた状態で、昇降機構部を昇降させる制御モードの何れかに切り替えるモード切替手段を昇降用制御端末器に設けたことを特徴とする昇降式照明器具の遠隔制御システム。
【請求項２】
昇降用制御端末器が昇降機構部を下降させる際に当該昇降機構部を停止させる停止モードを、可動接点が昇降機構部の固定接点に接触している時の照明負荷の天井位置から昇降機構部を所定距離だけ下降させると、昇降機構部の下降を自動停止させる自動停止モード、又は、前記自動停止動作を行わない手動停止モードの何れかに切り替える停止モード切替手段を昇降用制御端末器に設けたことを特徴とする請求項１記載の昇降式照明器具の遠隔制御システム。
【請求項３】
昇降用制御端末器は、対応する昇降機構部を昇降操作するための昇降操作スイッチを備え、当該昇降操作スイッチの昇降操作に応じて対応する昇降機構部を昇降させることを特徴とする請求項１又は２記載の昇降式照明器具の遠隔制御システム。
【発明の詳細な説明】
【技術分野】
【０００１】
本発明は、昇降式照明器具の遠隔制御システムに関するものである。
【背景技術】
【０００２】
従来、工場や体育館などの高天井に昇降自在に設置される昇降式照明器具が提供されている。このような昇降式照明器具は、図７に示すように、天井に設置された昇降機構部２と、光源を有し昇降機構部２に吊条３を介して吊り下げられた照明負荷１とで構成され、清掃や電球交換などの保守点検時には昇降機構部２が吊条３を送り出して、照明負荷１を下降させることにより、照明負荷１の保守点検作業を容易に行えるようにしている。
【０００３】
昇降機構部２には固定接点（図示せず）が設けられ、照明負荷１には固定接点と接離自在に接触する可動接点（図示せず）が設けられている。そして、昇降機構部２が吊条３を巻き取った状態では照明負荷１の可動接点が昇降機構部２の固定接点と電気的に接触し、昇降機構部２を介して照明負荷１に電源を供給できるようになっている。また保守点検時には昇降機構部２から吊条３を送り出させて、照明負荷１を下降させることで、照明負荷１の保守点検作業を容易に行うことができる。
【０００４】
ここで、図７に示すシステムでは照明負荷１の点灯／消灯を制御する遠隔制御システムと、昇降機構部２の昇降動作を制御する制御システムを別々に設けてある。
【０００５】
照明負荷用の遠隔制御システムでは、照明負荷１の点灯／消灯操作を行うためのスイッチＳＷ１１の操作状態を監視する照明用操作端末器５と、各照明負荷１の点灯／消灯を制御する照明用制御端末器７とを２線式の伝送線９，９に接続すると共に、この伝送線９，９を通して照明用操作端末器５と照明用制御端末器７を伝送制御装置１０に接続している。尚、図７中の１１は、照明用制御端末器７からの制御信号に応じて各照明負荷１への商用電源の供給をオン／オフさせるリモコンリレーであり、図中の１２はリモコンリレー１１に駆動電源を供給するリモコントランスである。
【０００６】
各端末器５，７には各別にアドレスが設定されており、伝送制御装置１０はアドレスによって各端末器５，７を個別に認識する。照明用操作端末器５では、スイッチＳＷ１１の操作により発生した割込信号を伝送制御装置１０に伝送する。伝送制御装置１０は割込信号を受信すると割り込みを要求している操作端末器５を検索し、さらに検索した操作端末器５とアドレスによって対応関係を予め設定されている制御端末器７に対して制御データを伝送する。制御データを受け取った制御端末器７では、磁気保持型のラッチングリレーからなるリモコンリレー１１をスイッチＳＷ１１の操作に対応させて駆動し、リモコンリレー１１を通じて安定器１３への電力供給をオン／オフすることで、照明負荷１を点灯又は消灯させている。
【０００７】
一方、昇降機構部２の制御システムは、上昇操作、停止操作、下降操作を行うためのスイッチＳＷ２１〜ＳＷ２３の操作状態を監視する昇降用操作器１４と、昇降用操作器１４からの操作入力に応じた動作を昇降機構部２に行わせる制御盤１５とで構成される。
【０００８】
ところで、保守点検時に昇降機構部２を下降させる場合に、照明負荷１に給電されている状態で昇降機構部２により照明負荷１を下降させようとすると、照明負荷１の可動接点と昇降機構部２の固定接点との間にアークが発生し、両接点が損傷する可能性があった。また昇降機構部２が下降している状態で、安定器１３に電源が供給されている場合に、昇降機構部２を天井位置まで上昇させると、照明負荷１の可動接点と昇降機構部２の固定接点との間にアークが発生し、両接点が損傷する可能性があった。このような接点の損傷を防止するために、図７のシステムではリモコンリレー１１への電源供給をオン／オフするリレーＲＹを設けてあり、制御盤１５が、昇降機構部２の昇降動作時にリレーＲＹをオフさせて、安定器１３への電源供給を遮断することによって、接点でのアークの発生を防止しているが、制御盤１５に、昇降機構部２の昇降動作時は対応する照明負荷１（安定器１３）への電力供給を遮断するようなシーケンス回路を組む必要があり、また制御盤１５と対応する照明用制御端末器７との間の配線が必要になるため、システム間の連系がとりにくいという問題があった。
【０００９】
そこで、照明制御用の遠隔制御システムにより昇降機構部２の昇降動作を制御するようにした遠隔制御システムが従来提供されている（例えば特許文献１参照）。図８は従来システムのシステム構成図であり、昇降式照明器具は、光源や点灯回路（図示せず）を具備し、工場や体育館などの高天井から吊条３を介して吊り下げられた照明負荷１ａ，１ｂ，１ｃと、吊条３の巻き取り及び送り出しを行うドラム（図示せず）を回転させるモータ４を備え、吊条３を巻き取り又は送り出すことにより各照明負荷１ａ，１ｂ，１ｃをそれぞれ上昇又は下降させる昇降機構部２ａ，２ｂ，２ｃとで構成される。
【００１０】
そして、各照明負荷１ａ〜１ｃの点灯／消灯操作を行うためのスイッチＳＷ１１〜ＳＷ１３の操作状態を監視する照明用操作端末器５と、各昇降機構部２ａ〜２ｃの上昇操作用のスイッチＳＷ２１、停止操作用のスイッチＳＷ２２、下降操作用のスイッチＳＷ２３の操作状態を監視する昇降用操作端末器６ａ〜６ｃと、各照明負荷１ａ〜１ｃの点灯／消灯を制御する照明用制御端末器７ａ〜７ｃと、各昇降機構部２ａ〜２ｃの昇降動作を制御する昇降用制御端末器８ａ〜８ｃとを２線式の伝送線９，９に接続すると共に、この伝送線９，９を通して各操作端末器５，６ａ〜６ｃと各制御端末器７ａ〜７ｃ，８ａ〜８ｃを伝送制御装置１０に接続している。
【００１１】
ここで、各端末器５，６ａ〜６ｃ，７ａ〜７ｃ，８ａ〜８ｃには各別にアドレスが設定されており、伝送制御装置１０はアドレスによって各端末器５，６ａ〜６ｃ，７ａ〜７ｃ，８ａ〜８ｃを個別に認識する。操作端末器５，６ａ〜６ｃでは、スイッチＳＷ１１〜ＳＷ１３，ＳＷ２１〜ＳＷ２３の操作により発生した割込信号を伝送制御装置１０に伝送する。伝送制御装置１０は割込信号を受信すると、割り込みを要求している操作端末器５，６ａ〜６ｃを検索し、さらに検索した操作端末器５，６ａ〜６ｃとアドレスによって対応関係が予め設定されている制御端末器７ａ〜７ｃ，８ａ〜８ｃに対して制御データを伝送する。制御データを受け取った制御端末器７ａ〜７ｃ，８ａ〜８ｃでは、内部に設けた磁気保持型のラッチングリレー（図示せず）をスイッチＳＷ１１〜ＳＷ１３，ＳＷ２１〜ＳＷ２３の操作に対応させて駆動し、リレーの主開閉接点を通じて電源ＡＣに接続されている照明負荷１ａ〜１ｃをオン又はオフさせたり、モータ４を正転、逆転又は停止させるようになっている。
【００１２】
この従来システムでは、照明負荷１ａ〜１ｃの点灯又は消灯操作を行う照明用操作端末器５に自己のアドレスとは別に、対応する照明負荷１ａ〜１ｃをそれぞれ昇降させる昇降機構部２ａ〜２ｃに対応した昇降用操作端末器６ａ〜６ｃのアドレスのデータを持たせており、照明用操作端末器５では、昇降用操作端末器６ａ〜６ｃに伝送制御装置１０から伝送される伝送信号を受信することにより、昇降機構部２ａ〜２ｃの動作状態を判断している。そして、照明用操作端末器５では、スイッチＳＷ１１〜ＳＷ１３がオン操作された際に、対応する照明負荷１ａ〜１ｃを昇降させる昇降機構部２ａ〜２ｃが動作しているか否かを判断し、昇降機構部２ａ〜２ｃが停止している場合のみ割込信号を発生させ、伝送制御装置１０に対してスイッチＳＷ１１〜ＳＷ１３がオン操作されたという監視データを返送しているので、昇降機構部２ａ〜２ｃが停止中のみ照明負荷１ａ〜１ｃを点灯させるようにして、照明負荷１ａ〜１ｃに電源が供給されている状態で接点が接離してアークが発生するのを防止している。
【００１３】
また上記特許文献１には、伝送制御装置１０において、照明負荷１ａ〜１ｃが点灯中は、点灯中の照明負荷１ａ〜１ｃを昇降させる昇降機構部２ａ〜２ｃが昇降動作を行わないようにしたり、昇降機構部２ａ〜２ｃが昇降動作中は、昇降機構部２ａ〜２ｃが上昇又は下降させている照明負荷１ａ〜１ｃを点灯させないようにすることが記載されており、照明負荷１ａ〜１ｃに給電されている状態で接点が接離するのを防止していた。
【特許文献１】特開２００１−３３８５２０号公報
【発明の開示】
【発明が解決しようとする課題】
【００１４】
上述した昇降式照明器具の遠隔制御システムでは、照明用操作端末器５に、自己のアドレスとは別に対応する昇降用操作端末器６ａ〜６ｃのアドレスをもたせることで、対応する昇降機構部２ａ〜２ｃの停止中のみ点灯操作を行えるようにしたり、昇降用操作端末器６ａ〜６ｃに、自己のアドレスとは別に対応する照明用操作端末器５のアドレスをもたせることによって、対応する照明負荷１ａ〜１ｃの消灯中のみ昇降動作を行えるようにしているが、照明負荷１ａ〜１ｃに点灯電力が供給されているにも関わらず、ランプの球切れなどで消灯している場合には、先ず昇降用操作端末器６ａ〜６ｃによりオフ操作を行って照明負荷１ａ〜１ｃへの電力供給を停止させてからでないと、昇降機構部２ａ〜２ｃを下降させることができないため使い勝手が悪いという問題があった。
【００１５】
本発明は上記問題点に鑑みて為されたものであり、その目的とするところは、接点の損傷を防止しつつ使い勝手を良くした昇降式照明器具の遠隔制御システムを提供することにある。
【課題を解決するための手段】
【００１６】
上記目的を達成するために、請求項１の発明は、伝送制御装置に、固有のアドレスが設定されスイッチの操作状態を監視する操作用端末器と、固有のアドレスが設定され負荷の動作を制御する制御用端末器とを伝送線を介して接続し、伝送制御装置からアドレスデータを含む伝送信号を上記伝送線に時分割多重で送出することによって各端末器を個別にアクセスし、伝送信号に同期して設定された信号返送期間に操作用端末器からの監視データを受信すると、監視データに基づいて制御データを作成し、監視データを発生した操作用端末器に対応する制御用端末器に制御データを上記伝送信号により伝送し、当該制御用端末器では受信した制御データにより負荷の動作を制御し、伝送制御装置は当該制御用端末器から負荷の動作状態を示す監視データを受信すると、監視データに基づいて制御データを作成し、対応する操作用端末器に伝送する遠隔制御システムであって、上記制御用端末器は、被固定部から吊条を介して吊り下げられ被固定部に設けられた固定接点と接離自在に接触する可動接点を備え両接点を介して給電される照明負荷の動作を制御する照明用制御端末器と、吊条を巻き取り又は送り出すことにより照明負荷を上昇又は下降させる昇降機構部の動作を制御する昇降用制御端末器とを少なくとも含み、上記操作用端末器は、上記照明負荷をオン／オフ操作するための照明操作スイッチの操作状態を監視する照明用操作端末器と、上記昇降機構部を昇降操作するための昇降操作スイッチの操作状態を監視する昇降用操作端末器とを少なくとも含み、昇降用制御端末器による昇降機構部の制御動作のモードを、予め対応関係が設定された照明用制御端末器による照明負荷の制御状態を監視し、昇降機構部を昇降させる制御データを受信した際に消灯中であれば昇降機構部を昇降させ、点灯中は昇降機構部を昇降させない監視モード、又は、昇降機構部を昇降させる制御データを受信した際に、予め対応関係が設定された照明用制御端末器により照明負荷を消灯させる監視データを伝送制御装置に返送して照明負荷を消灯させた状態で、昇降機構部を昇降させる制御モードの何れかに切り替えるモード切替手段を昇降用制御端末器に設けたことを特徴とする。
【００１７】
請求項２の発明は、請求項１の発明において、昇降用制御端末器が昇降機構部を下降させる際に当該昇降機構部を停止させる停止モードを、可動接点が昇降機構部の固定接点に接触している時の照明負荷の天井位置から昇降機構部を所定距離だけ下降させると、昇降機構部の下降を自動停止させる自動停止モード、又は、自動停止動作を行わない手動停止モードの何れかに切り替える停止モード切替手段を昇降用制御端末器に設けたことを特徴とする。
【００１８】
請求項３の発明は、請求項１又は２の発明において、昇降用制御端末器は、対応する昇降機構部を昇降操作するための昇降操作スイッチを備え、当該昇降操作スイッチの昇降操作に応じて対応する昇降機構部を昇降させることを特徴とする。
【発明の効果】
【００１９】
請求項１の発明によれば、例えば店舗などの商業施設で使用される場合に、モード切替手段によって制御動作のモードが監視モードに切り替えられていれば、昇降用操作端末器の昇降操作スイッチが誤って操作されたとしても、照明負荷の点灯中は昇降機構部を昇降させることはないので、照明負荷が誤って消灯されるのを防止することができる。また例えば体育館などで使用される場合に、モード切替手段によって制御動作のモードが制御モードに切り替えられていれば、昇降用操作端末器の昇降操作スイッチが操作されると、対応する照明負荷を消灯させた後に昇降機構部を昇降させるから、照明負荷の消灯操作を行わなくても昇降機構部を動作させることができ、アークの発生を防止しつつ、保守点検作業の作業効率を向上させるとともに、使い勝手を良くできる。
【００２０】
請求項２の発明によれば、昇降用制御端末器の停止モード切替手段によって、昇降機構部を停止させる停止モードを自動停止モード又は手動停止モードの何れかに切り替えているので、昇降機構部として、停止位置を設定する機能を備えた昇降機構部と、停止位置設定機能を持たない昇降機能部の両方を使用できるから利便性が向上し、また停止位置設定機能を備えた昇降機能部と停止位置設定機能を持たない昇降機構部とで別々の昇降用制御端末器を用いる場合に比べて、昇降用制御端末器の商品選定を簡略化できるという効果がある。
【００２１】
請求項３の発明によれば、遠隔制御システムの導入時に本システムの運用が可能な状態となっていなくても、昇降用制御端末器の昇降操作スイッチを操作することによって、対応する昇降機構部を昇降させることができるので、昇降用制御端末器単体で昇降機構部の昇降テストを実施することができ、効率よく施工作業を行えるという効果がある。
【発明を実施するための最良の形態】
【００２２】
以下に本発明の実施の形態を図面に基づいて説明する。このシステムは、遠隔制御システムを昇降式照明器具に適用した負荷制御システムであり、図２のシステム構成図に示すように、昇降式照明器具は、光源（図示せず）を具備し工場や体育館などの高天井から吊条３を介して吊り下げられた照明負荷１ａ，１ｂ，１ｃ，１ｄと、対応する照明負荷１ａ，１ｂ，１ｃ，１ｄに点灯電力を供給する安定器１３ａ〜１３ｄと、吊条３の巻き取り及び送り出しを行うドラム（図示せず）を図示しないモータにより回転させることで各照明負荷１ａ，１ｂ，１ｃ，１ｄをそれぞれ上昇又は下降させる昇降機構部２ａ，２ｂ，２ｃ，２ｄとを備えている。
【００２３】
そして、各照明負荷１ａ〜１ｄのオン／オフ操作を行うための照明操作スイッチ（以下、スイッチと言う。）ＳＷ１１〜ＳＷ１４の操作状態を監視する照明用操作端末器５と、各昇降機構部２ａ〜２ｄの上昇操作を一括して行うための上昇操作スイッチ（以下、スイッチと略称す。）ＳＷ２１、停止操作を一括して行うための停止操作スイッチ（以下、スイッチと略称す。）ＳＷ２２、下降操作を一括して行うための下降操作スイッチ（以下、スイッチと略称す。）ＳＷ２３の操作状態をそれぞれ監視する昇降用操作端末器６と、各安定器１３ａ〜１３ｄへの電力供給をオン／オフすることにより照明負荷１ａ〜１ｄの点灯／消灯を制御する照明用制御端末器７と、各昇降機構部２ａ〜２ｄの昇降動作を一括制御する昇降用制御端末器８とを２線式の伝送線９，９に接続すると共に、この伝送線９，９を通して操作端末器５，６と制御端末器７，８を伝送制御装置１０に接続している。尚、図２中の１１ａ〜１１ｄは、照明用制御端末器７からの制御信号に応じて対応する安定器１３ａ〜１３ｄへの電力供給をオン／オフさせるリモコンリレーであり、図中の１２はリモコンリレー１１ａ〜１１ｄに駆動電源を供給するリモコントランスである。
【００２４】
ここで、各端末器５，６，７，８には各別にアドレスが設定されており、伝送制御装置１０はアドレスによって各端末器５，６，７，８を個別に認識する。また操作端末器５，６では、スイッチＳＷ１１〜ＳＷ１４，ＳＷ２１〜ＳＷ２３の操作により発生した割込信号を伝送制御装置１０に伝送する。
【００２５】
伝送制御装置１０は割込信号を受信すると割り込みを要求している操作端末器５，６を検索し、さらに検索した操作端末器５，６とアドレスによって対応関係を予め設定されている制御端末器７，８に対して制御データを伝送する。そして、制御データを受け取った照明用制御端末器７では、磁気保持型のラッチングリレー（図示せず）を備えるリモコンリレー１１ａ〜１１ｄをスイッチＳＷ１１〜ＳＷ１４の操作に対応させて駆動し、リモコンリレー１１ａ〜１１ｄの主開閉接点を通じて安定器１３ａ〜１３ｄへの電源供給をオン／オフすることで、電源ＡＣに接続されている照明負荷１ａ〜１ｃをオン又はオフさせている。また、制御データを受け取った昇降用制御端末器８では、内部に設けた磁気保持型のラッチングリレー（図示せず）をスイッチＳＷ２１〜ＳＷ２３の操作に対応させて駆動し、リレーの主開閉接点を通じて、昇降機構部２ａ〜２ｄが備えるモータ（図示せず）を正転、逆転又は停止させるようになっている。
【００２６】
伝送制御装置１０は伝送線９に対して、図４（ａ）に示すフォーマットの時分割多重伝送信号（以下伝送信号と言う）Ｖｓを送出する。すなわち、信号の送出開始を示すスタートパルスＳＴ、信号のモードを示すモードデータＭＤ、端末器５，６，７，８を各別に呼び出すためのアドレスデータＡＤ、負荷（すなわち照明負荷１ａ〜１ｄ及び昇降機構部２ａ〜２ｄ）を制御する制御データＣＤ、伝送誤りを検出するチェックサムデータのようなエラー訂正符号ＣＳ、端末器５，６，７，８からの返送期間を設定する信号返送期間ＷＴよりなる双極性（±２４Ｖ）の時分割多重信号であり、パルス幅変調によってデータが伝送されるようになっている（図４（ａ）参照）。尚、図２の遠隔監視制御システムでは伝送制御装置１０を中心として伝送信号Ｖｓにより、各端末器５，６，７，８の監視制御を行うとともに、複極の伝送信号Ｖｓを各端末器５，６，７において整流することにより各端末器５，６，７内の動作電源を得るようになっている。
【００２７】
そして、各端末器５，６，７，８では、伝送線９を介して受信した伝送信号ＶｓのアドレスデータＡＤに含まれるアドレスが予め設定された自己のアドレスと一致したときに、その伝送信号Ｖｓの制御データＣＤを取り込むとともに、伝送信号Ｖｓの信号返送期間ＷＴに同期して監視データを電流モード信号（信号線Ｌｓの線間を適当な低インピーダンスを介して短絡して送出される信号）として返送するようになっている。
【００２８】
ここにおいて、伝送制御装置１０から所望の端末器５，６，７，８にデータを伝送する場合には、モードデータＭＤを制御モードとし、所望の端末器５，６，７，８のアドレスをアドレスデータＡＤとする伝送信号Ｖｓを送出し、この伝送信号Ｖｓを伝送線９に送出すれば、アドレスデータＡＤに一致する端末器５，６，７，８が制御データＣＤを受け取り、制御データＣＤにパリティビットを付加した信号を信号返送期間ＷＴに返信する。伝送制御装置１０では送出した信号と信号返送期間ＷＴにおける受信信号との一致によって制御データＣＤが所望の端末器５，６，７，８に伝送されたことを確認する。また制御端末器７，８や操作端末器５，６は受け取った制御データＣＤに従って制御動作を行う。
【００２９】
一方、伝送制御装置１０は、常時はモードデータＭＤをダミーモードとして、或いは、常時ポーリングとしてダミー用のアドレスに、又は、接続されている全端末器のアドレスに伝送信号Ｖｓを一定時間間隔で送出しており、端末器５，６，７，８が伝送制御装置１０に対して何らかの情報を伝送しようとするときには、ダミーモード或いはポーリング中の伝送信号ＶｓのスタートパルスＳＴに同期させて図４（ｂ）のような割込信号Ｖｉを発生させる。この時、端末器５，６，７，８は割込フラグを設定して伝送制御装置１０との以後の情報授受に備える。伝送制御装置１０では割込信号Ｖｉを受信すると、モードデータＭＤを割込ポーリングモードとし、且つアドレスデータＡＤの上位の半数のビット（アドレスデータＡＤを８ビットとすれば上位４ビット）を順次増加させながら伝送信号Ｖｓを送出する。割込信号Ｖｉを発生した端末器５，６，７，８では、割込ポーリングモードの伝送信号Ｖｓに含まれるアドレスデータＡＤの上位４ビットが予め設定された自己のアドレスの上位４ビットに一致するときに、信号返送期間ＷＴにアドレスの下位４ビットを伝送制御装置１０に返信する。このように、伝送制御装置１０は割込信号Ｖｉを発生した端末器５，６，７，８を１６個ずつまとめて探すので、比較的短い時間で端末器５，６，７，８を発見することができる。伝送制御装置１０が割込信号Ｖｉを発生した端末器５，６，７，８のアドレスを獲得すると、モードデータＭＤを監視モードとし、アドレスデータＡＤを獲得したアドレスとした伝送信号Ｖｓを伝送線９に送出し、これに対して端末器５，６，７，８は伝送しようとする情報を信号返送期間ＷＴに返信するのである。最後に、伝送制御装置１０は割込信号Ｖｉを発生した端末器５，６，７，８に対して割込リセットを指示する信号を送出し、端末器５，６，７，８の割込フラグを解除する。
【００３０】
以上のようにして、端末器５，６，７，８から伝送制御装置１０への情報伝送は、伝送制御装置１０から端末器５，６，７，８への４回の信号伝送（ダミーモード、割込ポーリングモード、監視モード、割込リセット）によって完了する。なお伝送制御装置１０が所望の端末器５，６，７，８の動作状態を知ろうとするときには、モードデータＭＤを監視モードとした伝送信号を送出するだけでよい。
【００３１】
而して、伝送制御装置１０では、操作端末器５，６に設けたスイッチＳＷ１１〜ＳＷ１４，ＳＷ２１〜ＳＷ２３が操作されると、操作端末器５，６から返信された監視データに基づいて、スイッチＳＷ１１〜ＳＷ１４，ＳＷ２１〜ＳＷ２３との対応関係が予め設定されている制御端末器７，８に伝送する制御データを生成し、その制御データＣＤを含む伝送信号Ｖｓを伝送線９に送出し、対応する制御端末器７，８に制御データＣＤを伝送し、制御データＣＤに含まれるスイッチＳＷ１１〜ＳＷ１４，ＳＷ２１〜ＳＷ２３に対応した負荷番号のリレー（リモコンリレー１１ａ〜１１ｄ又は内部リレー）を駆動して、その主開閉接点をオン又はオフさせることにより、照明負荷１ａ〜１ｄを点灯又は消灯させたり、昇降機構部２ａ〜２ｄの昇降動作を制御する。
【００３２】
また、操作端末器５，６に設けた別のスイッチＳＷ１１〜ＳＷ１４，ＳＷ２１〜ＳＷ２３が操作されると、前記のスイッチが操作されたときと同様に割込信号Ｖｉを送出し、伝送制御装置１０の割り込みポーリングに応じてアドレス返信を行い、伝送制御装置１０から割込み要求監視のアクセスに対応してスイッチの操作データを監視データとして伝送制御装置１０へ返信する。伝送制御装置１０は割り込み処理後、スイッチＳＷ１１〜ＳＷ１４，ＳＷ２１〜ＳＷ２３に対応した負荷番号の制御データＣＤを対応する制御端末器７，８をアクセスして伝送する。制御端末器７，８は待機状態において制御データＣＤを受信すると、制御データの負荷番号に対応するリレー（リモコンリレー１１ａ〜１１ｄ又は内部リレー）を上述と同様に駆動する。ここに、各端末器５〜８に割り当てた１つのアドレスに対応して例えば４つの負荷番号を設定できるようにしておけば、４つのスイッチで夫々対応する４つの負荷を制御駆動できる。尚、本実施形態の場合には照明用操作端末器５が備える４個のスイッチＳＷ１１〜ＳＷ１４に負荷番号１〜４を割り当て、操作端末器５のアドレス“０”とスイッチＳＷ１１〜ＳＷ１４の負荷番号１〜４とで負荷識別アドレス（０−１、０−２、０−３、０−４）を構成してあり、４つのスイッチＳＷ１１〜ＳＷ１４で夫々対応する４つのリモコンリレー１１ａ〜１１ｄをオン／オフ駆動し、対応する照明負荷１ａ〜１ｄを点灯又は消灯させている。また昇降用操作端末器６が備える３個のスイッチＳＷ２１〜ＳＷ２３には負荷番号１〜３が割り当てられ、操作端末器６のアドレス“１”とスイッチＳＷ２１〜ＳＷ２３の負荷番号１〜３とで負荷識別アドレス（１−１、１−２、１−３）を構成してあり、３つのスイッチＳＷ２１〜ＳＷ２３で対応する制御端末器８の内部リレーをオン／オフ駆動し、昇降機構部２ａ〜２ｄを上昇、停止又は下降させている。而して、照明負荷１ａ〜１ｄをオン／オフするためのリモコンリレー１１ａ〜１１ｄには負荷識別アドレスとして０−１、０−２、０−３、０−４がそれぞれ割り当てられ、昇降機構部２ａ〜２ｄを上昇、停止、下降させる際に駆動する内部リレーには負荷識別アドレスとして１−１、１−２、１−３が割り当てられることになる。
【００３３】
また制御端末器７，８はリレーの動作状態を示す監視データを伝送制御装置１０へ返信させるようになっており、伝送制御装置１０はこの監視データに基づいて対応する操作端末器５，６に対してリレー（リモコンリレー１１ａ〜１１ｄ及び内部リレー）の負荷番号に対応するスイッチＳＷ１１〜ＳＷ１４，ＳＷ２１〜ＳＷ２３に付設した動作モニタ用発光ダイオード（図示せず）を点灯／消灯させる制御データＣＤを伝送し、この制御データＣＤを受け取った操作端末器５，６では制御データに基づいて対応する負荷番号のスイッチに付設してある動作モニタ用発光ダイオードを点灯又は消灯させることにより、対応するリレーの動作状態、つまり負荷の動作状態を表示する。
【００３４】
次に昇降用制御端末器８の構成について図１及び図３を参照して説明する。昇降用制御端末器８は、商用電源ＡＣが接続される電源端子３１，３２と、昇降機構部２ａ〜２ｄの備える３つの入力端子に接続される負荷接続端子３３，３４，３５と、伝送線９，９が接続される信号線接続端子３６，３７とを備えるとともに、全体的な制御を行うマイコン２１と、伝送線９，９を介して伝送信号を送受信する信号送受信部２２と、マイコン２１と信号送受信部２２との間の信号を伝達するフォトカプラ２３と、マイコン２１からの制御信号に基づいて、端子３４−３２間、端子３５−３２間にそれぞれ接続されたラッチングリレーからなる内部リレーＲＹ１，ＲＹ２のオン／オフを切り替えるリレー駆動部２４と、図示しないアドレス設定器から光信号により入力されるアドレスデータを受信し、当該アドレスデータを記憶部（図示せず）に記憶させるアドレス設定部２５と、昇降機構部２ａ〜２ｄの制御動作のモードを監視モード又は制御モードの何れかに切り換えるモード切替部２６と、昇降機構部２ａ〜２ｄを下降させる際に当該昇降機構部２ａ〜ｄを停止させる停止モードを自動停止モード又は手動停止モードの何れかに切り替える停止モード切替部２７と、昇降機構部２ａ〜２ｄを手動操作するための手動操作部２８と、電源端子３１，３２を介して供給される商用電源ＡＣから内部の動作電源を作成する電源回路２９とを備えている。
【００３５】
尚、モード切替部２６によって切り替えられる監視モードとは、予め対応関係が設定された照明用制御端末器７による照明負荷１ａ〜１ｄの制御状態を監視しておき、昇降機構部２ａ〜２ｄを昇降させる制御データを受信した際に消灯中であれば昇降機構部２ａ〜２ｄを昇降させ、点灯中は昇降機構部２ａ〜２ｄを昇降させないようにするモードである。また制御モードとは、昇降機構部２ａ〜２ｄを昇降させる制御データを受信した際に、予め対応関係が設定された照明用制御端末器７により照明負荷１ａ〜１ｄを消灯させる監視データを伝送制御装置１０に返送して照明負荷１ａ〜１ｄを消灯させた状態で、昇降機構部２ａ〜２ｄを昇降させるモードである。また停止モード切替部２７によって切り替えられる自動停止モードとは、照明負荷１ａ〜１ｄの可動接点が昇降機構部２ａ〜２ｄの固定接点に接触している時の照明負荷１ａ〜１ｄの天井位置から昇降機構部２ａ〜２ｄを所定距離だけ下降させると、昇降機構部２ａ〜２ｄの下降を自動的に停止させる停止モードである。尚、本実施形態では下降距離を天井位置からの下降時間で判断しており、自動停止モードでは、天井位置から予め設定された自動停止時間Ｔだけ下降させると、自動的に停止させている。また手動停止モードとは、自動停止モードによる自動停止動作を行わないような停止モードである。
【００３６】
昇降用制御端末器８は、図３に示すように略直方体状の器体３０の内部に図１に示した回路ブロックを収納してあり、器体３０の左右方向における片側には電源端子３１，３２と負荷接続端子３３〜３５とが配設され、左右方向の他側には信号線接続端子３６，３７が配設されている。また器体３０の前面には、モード切替部２６を構成するスライドスイッチの操作摘み２６ａと、停止モード切替部２７を構成するスライドスイッチの操作摘み２７ａと、手動操作部２８を構成する押釦スイッチの操作ボタンＢ１，Ｂ２とが配設されている。尚、操作ボタンＢ１は上昇操作用の操作ボタン、操作ボタンＢ２は下降操作用の操作ボタンである。
【００３７】
次に本システムによる昇降式照明器具の制御動作を図５のフローチャートに基づいて説明する。尚、昇降用制御端末器８の記憶部には、上昇動作に対応する負荷識別アドレスとして１−１が、停止動作に対応する負荷識別アドレスとして１−２が、下降動作に対応する負荷識別アドレスとして１−３が設定されるとともに、対応する照明器具１ａ〜１ｄの監視又は制御アドレスとしてグループアドレス（Ｇ１）が設定されているものとして以下説明する（表１参照）。ここで、グループアドレスＧ１とは、対応する照明器具１ａ〜１ｄの負荷識別アドレス０−１、０−２、０−３、０−４を１つのグループとして制御（オン、オフ）又は監視するためのアドレスである。
【００３８】
【表１】
0005149700.tif 000002
【００３９】
なお上述の照明監視／制御アドレスにはグループアドレス以外にも、特定の照明器具に対応した個別アドレスや、複数の照明器具をそれぞれ予め設定されたパターンで動作させるパターンアドレスを設定することができ、表２に示す例では、照明監視／制御アドレスとして負荷識別アドレスが０−１、０−２、０−３、０−４のリモコンリレー１１ａ〜１１ｄを全てオフさせるようなパターンアドレスＰ１が設定されている。
【００４０】
【表２】
0005149700.tif 000003
【００４１】
先ず、モード切替部２６を構成するスライドスイッチの操作摘み２６ａが、制御モード側に切り替えられるとともに、停止モード切替部２７の操作摘み２７ａが自動停止モード側に切り替えられている場合（昇降機構部２ａ〜２ｄが停止位置設定機能を備えていない場合）について図５（ａ）のフローチャートを参照して説明する。
【００４２】
照明負荷１ａ〜１ｄが下降している状態で、昇降用操作端末器６のスイッチＳＷ２１（負荷識別アドレス１−１）が押し操作されると（ステップＳ１）、上記の伝送処理を経て昇降用操作端末器６から伝送制御装置１０へスイッチＳＷ２１が押されたことを示す監視データが送られ、伝送制御装置１０では、予め対応関係が設定された昇降用制御端末器８に対して、負荷識別アドレスが１−１の内部リレーをオンさせる制御データを伝送する。この時、昇降用制御端末器８のマイコン２１では、昇降機構部２ａ〜２ｄを昇降させる前に、照明制御／監視アドレスに設定されたグループアドレスＧ１の負荷をオフさせる監視データを信号送受信部２２から伝送制御装置１０へ返送させる。伝送制御装置１０では、昇降用制御端末器８から返送された監視データをもとに、負荷識別アドレスが０−１、０−２、０−３、０−４のリモコンリレー１１ａ〜１１ｄをオフさせる制御データを作成し、この制御データを対応する照明用制御端末器７に送信することで、照明用制御端末器７によりリモコンリレー１１ａ〜１１ｄをオフさせて、照明器具１ａ〜１ｄを消灯させる（ステップＳ２）。その後、昇降用制御端末器８のマイコン２１は、リレー駆動部２４により負荷識別アドレスが１−１のリレーＲＹ１をオンさせて、昇降機構部２ａ〜２ｄを上昇動作させるとともに（ステップＳ３）、１分毎に信号送受信部２２による割込み処理を行わせて、グループアドレスＧ１の負荷をオフさせるデータを監視データとして伝送制御装置１０へ返送させ（ステップＳ４）、照明負荷１ａ〜１ｄを消灯させており、上昇中に照明負荷１ａ〜１ｄの点灯操作が行われて安定器１３ａ〜１３ｄが通電状態となるのを防止する。また、昇降用制御端末器８のマイコン２１では、図示しないタイマにより上昇開始時からの経過時間を計時させており（ステップＳ５）、上昇開始時より自動停止時間Ｔ（例えば約１５分）が経過すると、照明負荷１ａ〜１ｄが天井位置まで上昇したと判断して、リレー駆動部２４により負荷識別アドレスが１−１のリレーＲＹ１をオフさせ、昇降機構部２ａ〜２ｄを停止させる（ステップＳ６）。尚、図５（ａ）のフローチャートでは、上昇操作用のスイッチＳＷ２１が押された場合の動作について説明したが、下降操作用のスイッチＳＷ２３が押された場合の動作も同様である。
【００４３】
一方、モード切替部２６を構成するスライドスイッチの操作摘み２６ａが、監視モード側に切り替えられるとともに、停止モード切替部２７の操作摘み２７ａが自動停止モード側に切り替えられている場合について図５（ｂ）のフローチャートを参照して説明する。
【００４４】
照明負荷１ａ〜１ｄが下降している状態で、昇降用操作端末器６のスイッチＳＷ２１（負荷識別アドレス１−１）が押し操作されると（ステップＳ１１）、上記の伝送処理を経て昇降用操作端末器６から伝送制御装置１０へスイッチＳＷ２１が押されたことを示す監視データが送られ、伝送制御装置１０では、予め対応関係が設定された昇降用制御端末器８に対して、負荷識別アドレスが１−１の内部リレーをオンさせる制御データを伝送する。ここで、照明負荷１ａ〜１ｄが制御された際に、伝送制御装置１０から照明用操作端末器５へ対応するリモコンリレー１１ａ〜１１ｄの動作状態を示す監視データが返送されるのであるが、この監視データを昇降用制御端末器８のマイコン２１がモニタすることによって、グループアドレスＧ１に対応するリモコンリレー１１ａ〜１１ｄの動作状態を把握している。そして、昇降用制御端末器８のマイコン２１では、昇降機構部２ａ〜２ｄを昇降させる前に、グループアドレスＧ１に対応するリモコンリレー１１ａ〜１１ｄが全てオフしているか否かを判断しており（ステップＳ１２）、リレー１１ａ〜１１ｄのうち一つでもオンしていれば、昇降機構部２ａ〜２ｄを昇降させずに処理を終了する（ステップＳ１６）。一方、ステップＳ１２においてグループアドレスＧ１に対応するリモコンリレー１１ａ〜１１ｄが全てオフしていれば、昇降用制御端末器８のマイコン２１は、リレー駆動部２４により負荷識別アドレスが１−１のリレーＲＹ１をオンさせて、昇降機構部２ａ〜２ｄを上昇動作させる（ステップＳ１３）。また昇降用制御端末器８のマイコン２１では、昇降機構部２ａ〜２ｄを昇降させた後もグループアドレスＧ１に対応するリモコンリレー１１ａ〜１１ｄのオン／オフを監視しており（ステップＳ１４）、リモコンリレー１１ａ〜１１ｄが全てオフであれば、上昇開始時からの経過時間をタイマに計時させ（ステップＳ１５）、上昇開始時より自動停止時間Ｔ（例えば約１５分）が経過した時点で照明負荷１ａ〜１ｄが天井位置まで上昇したと判断して、リレー駆動部２４により負荷識別アドレスが１−１のリレーＲＹ１をオフさせ、昇降機構部２ａを停止させる（ステップＳ１６）。またステップＳ１４においてリモコンリレー１１ａ〜１１ｄのうち一つでもオンになると、昇降用制御端末器８のマイコン２１は、リレー駆動部２４により負荷識別アドレスが１−１のリレーＲＹ１をオフさせて、昇降機構部２ａを停止させた後処理を終了する（ステップＳ１６）。尚、図５（ｂ）のフローチャートでは、上昇操作用のスイッチＳＷ２１が押された場合の動作について説明したが、下降操作用のスイッチＳＷ２３が押された場合の動作も同様である。
【００４５】
このように昇降用制御端末器８は、昇降機構部２ａ〜２ｄを制御する動作のモードを監視モード又は制御モードの何れかに切り替えるモード切替部２６を備えており、例えば店舗などの商業施設で使用される場合に、モード切替部２６によって制御動作のモードが監視モードに切り替えられていれば、昇降用操作端末器６の昇降操作スイッチＳＷ２１〜ＳＷ２３が誤って操作されたとしても、照明負荷１ａ〜１ｄの点灯中は昇降機構部２ａ〜２ｄを昇降させることはないので、照明負荷１ａ〜１ｄが誤って消灯されるのを防止することができる。また例えば体育館などで使用される場合に、モード切替部２６によって制御動作のモードが制御モードに切り替えられていれば、昇降用操作端末器６の昇降操作スイッチＳＷ２１，ＳＷ２３が操作されると、対応する照明負荷１ａ〜１ｄを消灯させた後に昇降機構部２ａ〜２ｄを昇降させるから、対応する照明負荷１ａ〜１ｄの消灯操作を行わなくてもこの照明負荷１ａ〜１ｄを自動的に消灯させた後で昇降機構部２ａ〜２ｄを昇降させることによって，アークの発生を防止しつつ、保守点検作業の作業効率を向上させることができる。
【００４６】
また図５（ａ）（ｂ）のフローチャートでは、停止モードが自動停止モードに設定された場合、すなわち昇降機構部２ａ〜２ｄが停止位置設定機能を備えていない場合について説明しており、この場合は上昇開始時又は下降開始時から所定時間が経過すると、天井位置まで上昇した、或いは、天井位置から所定距離下降したと判断して、昇降機構部２ａ〜２ｄを停止させている。
【００４７】
ここで、昇降機構部２ａ〜２ｄを上昇又は下降させてから自動的に停止させるまでの運転時間を設定する手順について図６を参照して説明する。図６では横軸に時間を、縦軸に天井位置からの距離（昇降時の運転時間）をとって、照明負荷１ａ〜１ｄの昇降位置の変化を示している。なお説明を簡単にするため、照明負荷１ａ〜１ｄは全て消灯しているものとして説明を行う。
【００４８】
昇降用制御端末器８のマイコン２１では、昇降機構部２ａ〜２ｄを昇降させる毎にその動作時間をタイマにより計時し、その計時結果を累計することによって、天井位置から前回の停止位置まで照明負荷１ａ〜１ｄを下降させるのに必要な下降時間を求め、この下降時間を所定時間Ｔとして記憶させている。なお昇降用制御端末器８のマイコン２１では、天井位置から６０秒以内に下降できる位置（図６の区間Ｄ）で昇降機構部２ａ〜２ｄが停止させられた場合は、その時の時間を累計しないようになっている。
【００４９】
時刻ｔ１において操作端末器６のスイッチＳＷ２３が操作されると、上述の伝送処理を経て伝送制御装置１０から昇降用制御端末器８に昇降機構部２ａ〜２ｄを下降させる制御データが送られ、この制御データに応じて制御端末器８が昇降機構部２ａ〜２ｄを下降させる。また時刻ｔ２において操作端末器６のスイッチＳＷ２２が操作されると、上述と同様の処理を経て、制御端末器８が昇降機構部２ａ〜２ｄを停止させるのであるが、この間の下降時間（ｔ２−ｔ１）は６０秒未満のため、マイコン２１では昇降時間の累計は行わない。その後、時刻ｔ３で操作端末器６のスイッチＳＷ２１が操作されると、上述と同様の処理を経て、昇降用制御端末器８が昇降機構部２ａ〜２ｄを上昇させるとともに、天井位置に達した時刻ｔ４で昇降機構部２ａ〜２ｄを停止させるのであるが、マイコン２１ではこの間の上昇時間（ｔ４−ｔ３）も累計しない。
【００５０】
その後、昇降用制御端末器８が、時刻ｔ５において昇降用操作端末器６のスイッチ操作にしたがって昇降機構部２ａ〜２ｄを下降させるとともに、時刻ｔ６において昇降用操作端末器６のスイッチ操作にしたがって昇降機構部２ａ〜２ｄを停止させると、昇降用制御端末器８のマイコン２１では、この間の動作時間Ｔ１（＝ｔ６−ｔ５）を自動停止時間Ｔとして記憶させる（Ｔ＝Ｔ１）。次に時刻ｔ７〜ｔ８にかけて昇降用制御端末器８が、昇降用操作端末器６のスイッチ操作にしたがって昇降機構部２ａ〜２ｄをさらに下降させると、昇降用制御端末器８のマイコン２１では、この間の動作時間Ｔ２（＝ｔ８−ｔ７）を自動停止時間Ｔに加算した時間（Ｔ＋Ｔ２）を新たに自動停止時間Ｔとして記憶させる。
【００５１】
また昇降用制御端末器８が、時刻ｔ９において昇降用操作端末器６のスイッチ操作にしたがって昇降機構部２ａ〜２ｄを上昇させるとともに、時刻ｔ１０において昇降用操作端末器６のスイッチ操作にしたがって昇降機構部２ａ〜２ｄを停止させると、昇降用制御端末器８のマイコン２１では、この間の動作時間Ｔ３（＝ｔ１０−ｔ９）を自動停止時間Ｔから減算した時間（Ｔ−Ｔ３）を新たに自動停止時間Ｔとして記憶させるとともに、時刻ｔ１１〜ｔ１２にかけて昇降用制御端末器８が、昇降用操作端末器６のスイッチ操作にしたがって昇降機構部２ａ〜２ｄをさらに上昇させると、昇降用制御端末器８のマイコン２１では、この間の動作時間Ｔ４（＝ｔ１２−ｔ１１）を自動停止時間Ｔから減算した時間（Ｔ−Ｔ４）を新たに自動停止時間Ｔとして記憶させる。
【００５２】
また時刻ｔ１３〜ｔ１４にかけて昇降用制御端末器８が、昇降用操作端末器６のスイッチ操作にしたがって昇降機構部２ａ〜２ｄを下降させると、昇降用制御端末器８のマイコン２１では、この間の動作時間Ｔ４（＝ｔ１４−ｔ１３）を時間Ｔから減算した時間（Ｔ−Ｔ４）を上記所定時間Ｔ（＝Ｔ−Ｔ４）として記憶させる。また時刻ｔ１５〜ｔ１６にかけて昇降用制御端末器８が、昇降用操作端末器６のスイッチ操作にしたがって昇降機構部２ａ〜２ｄを下降させると、昇降用制御端末器８のマイコン２１では、この間の動作時間Ｔ５（＝ｔ１６−ｔ１５）を時間Ｔから減算した時間（Ｔ−Ｔ５）を上記所定時間Ｔ（＝Ｔ−Ｔ５）として記憶させる。
【００５３】
その後、時刻ｔ１７〜ｔ１８にかけて昇降用制御端末器８は、昇降用操作端末器６のスイッチ操作にしたがって昇降機構部２ａ〜２ｄを上昇させるが、照明負荷１ａ〜１ｄの停止位置が区間Ｄ内のため、この間の昇降時間を自動停止時間Ｔに累積する処理は行わず、前回の自動停止時間Ｔのままとする。
【００５４】
そして、時刻ｔ２１において昇降用操作端末器６の下降操作用のスイッチＳＷ２３が操作されると、昇降用制御端末器８のマイコン２１はリレー駆動部２４を制御して、昇降機構部２ａ〜２ｄを下降させており、その後下降開始時から自動停止時間Ｔが経過する迄の間に停止操作などが行わなければ、自動停止時間Ｔが経過した時刻ｔ２２においてリレー駆動部２４により昇降機構部２ａ〜２ｄを停止させる。また、時刻ｔ２３において昇降用操作端末器６の上昇操作用のスイッチＳＷ２４が操作されると、昇降用制御端末器８のマイコン２１はリレー駆動部２４を制御して、昇降機構部２ａ〜２ｄを上昇させており、上昇開始時から自動停止時間Ｔが経過する迄の間に停止操作などが行わなければ、自動停止時間Ｔが経過した時刻ｔ２２においてリレー駆動部２４により昇降機構部２ａ〜２ｄを停止させる。尚、上昇時には制御端末器８において照明負荷１ａ〜１ｄが天井位置まで上昇したことを検出すると、昇降機構部２ａ〜２ｄを自動停止するようにしても良い。
【００５５】
このように昇降用制御端末器８では、停止モード切替部２７によって、昇降機構部２ａ〜２ｄを停止させる停止モードを自動停止モード又は手動停止モードの何れかに切り替えているので、昇降機構部２ａ〜２ｄとして、停止位置を設定する機能を備えた昇降機構部と、停止位置設定機能を持たない昇降機能部の両方を使用できるから利便性が向上し、また停止位置設定機能を備えた昇降機能部と停止位置設定機能を持たない昇降機構部とで別々の昇降用制御端末器８を用いる場合に比べて、昇降用制御端末器８の商品選定を簡略化できるという効果がある。
【００５６】
尚、昇降機構部２ａ〜２ｄが停止位置設定機能を備えている場合には、停止モード切替部２７の操作摘み２７ａを手動停止モード側に切り替えて使用すれば良い。昇降用制御端末器８の停止モードが手動停止モードに切り換えられた場合は、昇降機構部２ａ〜２ｄを停止させる際に、昇降用制御端末器８側で昇降機構部２ａ〜２ｄを自動的に停止させる処理を行わず、昇降機構部２ａ〜２ｄ自体が備える停止位置設定機能により所定の位置で自動的に停止させるので、上昇又は下降用のスイッチＳＷ２１，ＳＷ２３を操作して昇降機構部２ａ〜２ｄを上昇又は下降させた後、昇降機構部２ａ〜２ｄが停止位置設定機能により自動停止すると、停止スイッチＳＷ２２を必ず操作して昇降機構部２ａ〜２ｄへの出力を停止させる必要がある。
【００５７】
また本実施形態では、昇降用制御端末器８に手動操作部２８を設けてあり、上昇用の操作ボタンＢ１又は下降用の操作ボタンＢ２をユーザが押し操作すると、マイコン２１が操作ボタンＢ１，Ｂ２からの操作入力に基づいてリレー駆動部２４に制御信号を出力し、対応するリレーＲＹ１，ＲＹ２をオン／オフさせることで、昇降機構部２ａ〜２ｄを上昇、停止又は下降させることができる。而して、遠隔制御システムの導入時などに本システムの運用が可能な状態となっていなくても、昇降用制御端末器８の昇降操作スイッチ（手動操作部２８）を操作することによって、対応する昇降機構部２ａ〜２ｄを昇降させることができるので、昇降用制御端末器単体で昇降機構部２ａ〜２ｄの昇降テストを実施することができ、効率よく施工作業を行うことができる。
【図面の簡単な説明】
【００５８】
【図１】本実施形態の昇降式照明器具の遠隔制御システムに用いられる昇降用制御端末器のブロック図である。
【図２】同上の遠隔制御システムを示す概略構成図である。
【図３】同上の遠隔制御システムに用いられる昇降用制御端末器の正面図である。
【図４】（ａ）（ｂ）は同上の伝送信号の波形図である。
【図５】（ａ）（ｂ）は同上の動作を説明するフローチャートである。
【図６】同上の動作を説明するタイムチャートである。
【図７】従来の昇降式照明器具の制御システムを示す概略構成図である。
【図８】従来の昇降式照明器具の他の制御システムを示す概略構成図である。
【符号の説明】
【００５９】
１ａ〜１ｄ  照明負荷
２ａ〜２ｄ  昇降機構部
５  照明用操作端末器
６  昇降用操作端末器
７  照明用制御端末器
８  昇降用制御端末器
９  伝送線
１０  伝送制御装置
２６  モード切替部
【図１】
0005149700.tif 000004
【図２】
0005149700.tif 000005
【図３】
0005149700.tif 000006
【図４】
0005149700.tif 000007
【図５】
0005149700.tif 000008
【図６】
0005149700.tif 000009
【図７】
0005149700.tif 000010
【図８】
0005149700.tif 000011